(57)【要約】【課題】初期電源がオンになる場合に、駆動ＩＣ及びスイッチング素子を動作させる動作電圧が安定的に充電用のキャパシタに充電される駆動装置を提供する。【解決手段】駆動ＩＣは、印加される動作電圧ＶＣＣにより動作し、制御信号をスイッチング素子のゲート端子に出力し、駆動ＩＣとスイッチング素子のソース端子の間には、充電用のキャパシタが接続され、第１グループは、接地電圧以下の電圧を出力する電圧源にソース端子が接続されたスイッチング素子を備え、第２グループは、第１グループに属しないスイッチング素子を備え、初期駆動時に、第１グループのスイッチング素子に接続された充電用のキャパシタには、動作電圧ＶＣＣが直ちに充電され、第２グループのスイッチング素子に接続された充電用のキャパシタには、第１グループに属するスイッチング素子のうち所定のスイッチング素子が徐々にターンオンされた後で、動作電圧ＶＣＣが充電される。【選択図】図７
2006243713.tif 000002
【特許請求の範囲】
【請求項１】
複数個の電圧源、複数個のスイッチング素子及び前記複数個のスイッチング素子のスイッチング動作を制御する複数個の駆動ＩＣを備えて駆動信号を出力するプラズマディスプレイパネルの駆動装置において、
前記駆動ＩＣは、外部から印加される動作電圧ＶＣＣにより動作し、制御信号をスイッチング素子のゲート端子に出力し、前記駆動ＩＣとスイッチング素子のソース端子との間には、充電用のキャパシタが接続され、
前記複数個のスイッチング素子はグループ化され、第１グループは、前記複数個のスイッチング素子のうち、接地電圧以下の電圧を出力する電圧源にソース端子が接続されたスイッチング素子を備え、第２グループは、前記あらゆるスイッチング素子のうち、第１グループに属しないスイッチング素子を備え、
初期駆動時に、前記第１グループのスイッチング素子に接続された充電用のキャパシタには、前記動作電圧ＶＣＣが直ちに充電され、前記第２グループのスイッチング素子に接続された充電用のキャパシタには、前記第１グループに属するスイッチング素子のうち所定のスイッチング素子が徐々にターンオンされた後で、前記動作電圧ＶＣＣが充電されることを特徴とするプラズマディスプレイパネルの駆動装置。
【請求項２】
前記所定のスイッチング素子は、ターンオン動作時にランプ信号を出力することを特徴とする請求項１に記載のプラズマディスプレイパネルの駆動装置。
【請求項３】
前記所定のスイッチング素子のゲート端子とドレイン端子との間には、ランプ用のキャパシタが接続されることを特徴とする請求項２に記載のプラズマディスプレイパネルの駆動装置。
【請求項４】
前記所定のスイッチング素子のソース端子には、ランプ用の抵抗が接続されることを特徴とする請求項２に記載のプラズマディスプレイパネルの駆動装置。
【請求項５】
前記第２グループのスイッチング素子は、前記所定のスイッチング素子のドレイン端子にソース端子が接続されたスイッチング素子を備えることを特徴とする請求項１に記載のプラズマディスプレイパネルの駆動装置。
【請求項６】
前記第２グループのスイッチング素子は、前記所定のスイッチング素子に接続されたスイッチング素子のドレイン端子にソース端子が接続されたスイッチング素子であり、
前記第２グループのスイッチング素子に接続された充電用のキャパシタには、前記所定のスイッチング素子と接続されたスイッチング素子もターンオンされて、前記動作電圧ＶＣＣが充電されることを特徴とする請求項１に記載のプラズマディスプレイパネルの駆動装置。
【発明の詳細な説明】
【技術分野】
【０００１】
本発明は、プラズマディスプレイパネル（ＰＤＰ）の駆動装置に係り、特に、ＰＤＰの初期電源がオンになる場合に、駆動ＩＣ及びスイッチング素子を動作させる動作電圧が安定的に充電用のキャパシタに充電されるＰＤＰの駆動装置に関する。
【背景技術】
【０００２】
最近、大型の平板ディスプレイ装置として注目されているＰＤＰは、複数個の電極が形成された二つの基板間に放電ガスが封入された後で放電電圧が加えられ、これにより発生する紫外線により、所定のパターンで形成された蛍光体が励起されて所望の画像を得る装置である。
【０００３】
ＰＤＰの駆動装置は、前記ＰＤＰ、さらに詳しくは、複数個の電極にそれぞれ駆動信号を印加するように複数個の電圧源、複数個のスイッチング素子及び複数個のスイッチング素子のスイッチング動作を制御する複数個の駆動ＩＣを備える。前記複数個のスイッチング素子のスイッチング動作により、ＰＤＰの駆動装置から駆動信号が出力される。
【０００４】
一方、ＰＤＰの初期電源がオンになる場合に、複数個のスイッチング素子のスイッチング動作を制御する駆動ＩＣに動作電圧ＶＣＣが供給される。この動作電圧ＶＣＣは、外部から、例えば電源供給装置から供給され、駆動ＩＣ及びスイッチング素子を動作させる。一方、動作電圧をＰＤＰの駆動装置内の各スイッチング素子のソース端子と駆動ＩＣとの間に接続される充電用のキャパシタにあらかじめ充電させて、各スイッチング素子が円滑にスイッチング動作を行うようにする。充電用のキャパシタに動作電圧を充電するためには、各スイッチング素子のソース端子が接地電圧以下の電圧を有する場合に安定的に充電される。すなわち、スイッチング素子のソース端子が接地電圧以下の電圧を出力する電圧源に接続されている場合には、外部から印加される動作電圧が安定的に充電される。しかし、スイッチング素子のソース端子が接地電圧以下の電圧を出力する電圧源に接続されていないので、ソース端子の電圧が不安定な場合には、動作電圧が充電用のキャパシタに安定的に充電されないという問題点が発生する。また、他のスイッチング素子のスイッチング動作によりソース端子の電圧を接地電圧以下にする場合には、突然な接地電圧以下の電圧の印加により、サージ性の異常電流が発生して他の回路素子が損傷されるおそれが発生する。
【発明の開示】
【発明が解決しようとする課題】
【０００５】
本発明の目的は、前記のような問題点を解決するためのものであって、ＰＤＰの初期電源がオンになる場合に、駆動ＩＣ及びスイッチング素子を動作させる動作電圧が安定的に充電用のキャパシタに充電されるＰＤＰの駆動装置を提供するところにある。
【課題を解決するための手段】
【０００６】
前記の目的を達成するために、本発明は、複数個の電圧源、複数個のスイッチング素子及び複数個のスイッチング素子のスイッチング動作を制御する複数個の駆動ＩＣを備えて駆動信号を出力するＰＤＰの駆動装置において、駆動ＩＣは、外部から印加される動作電圧ＶＣＣにより動作し、制御信号をスイッチング素子のゲート端子に出力し、駆動ＩＣとスイッチング素子のソース端子との間には、充電用のキャパシタが接続され、複数個のスイッチング素子はグループ化され、第１グループは、複数個のスイッチング素子のうち、接地電圧以下の電圧を出力する電圧源にソース端子が接続されたスイッチング素子を備え、第２グループは、あらゆるスイッチング素子のうち、第１グループに属しないスイッチング素子を備え、初期駆動時に、第１グループのスイッチング素子に接続された充電用のキャパシタには、動作電圧ＶＣＣが直ちに充電され、第２グループのスイッチング素子に接続された充電用のキャパシタには、第１グループに属するスイッチング素子のうち所定のスイッチング素子が徐々にターンオンされた後で、動作電圧ＶＣＣが充電されることを特徴とするＰＤＰの駆動装置を提供する。
【０００７】
本発明の他の特徴によれば、所定のスイッチング素子は、ターンオン動作時にランプ信号を出力することが望ましい。
【０００８】
本発明のさらに他の特徴によれば、所定のスイッチング素子のゲート端子とドレイン端子との間には、ランプ用のキャパシタが接続されうる。
【０００９】
本発明のさらに他の特徴によれば、所定のスイッチング素子のソース端子には、ランプ用の抵抗が接続されうる。
【００１０】
本発明のさらに他の特徴によれば、第２グループのスイッチング素子は、所定のスイッチング素子のドレイン端子にソース端子が接続されたスイッチング素子でありうる。
【００１１】
本発明のさらに他の特徴によれば、第２グループのスイッチング素子は、所定のスイッチング素子に接続されたスイッチング素子のドレイン端子にソース端子が接続されたスイッチング素子であり、第２グループのスイッチング素子に接続された充電用のキャパシタには、所定のスイッチング素子と接続されたスイッチング素子もターンオンされて動作電圧ＶＣＣが充電されうる。
【発明の効果】
【００１２】
本発明によれば、次のような効果を得ることができる。
【００１３】
第１に、本発明のＰＤＰの駆動装置によれば、初期電源がオンになる場合に、スイッチング素子に接続された充電用のキャパシタに動作電圧を充電できる。
【００１４】
第２に、特に、スイッチング素子のうち、ソース端子に接地電圧以下の電圧を出力する電圧源に接続されていないスイッチング素子に接続された充電用のキャパシタに動作電圧を充電するために、接地電圧以下の電圧を出力する電圧源に接続されたスイッチング素子を徐々にターンオンさせることによって、急激なターンオンによって発生するサージ性電流によるスイッチング素子及び他の回路素子の損傷を防止できる。
【発明を実施するための最良の形態】
【００１５】
以下、添付された図面を参照して、本発明の実施形態について詳細に説明する。
【００１６】
図１は、本発明の駆動装置により駆動されるＰＤＰの構造の一例を示す図面である。
【００１７】
図１に示すように、ＰＤＰの第１基板１００と第２基板１０６との間には、Ａ電極Ａ１，…，Ａｍ、第１及び第２誘電体層１０２，１１０、Ｙ電極Ｙ１，…，Ｙｎ、Ｘ電極Ｘ１，…，Ｘｎ、蛍光体層１１２、隔壁１１４及び一酸化マグネシウム（ＭｇＯ）保護層１０４が設けられている。
【００１８】
Ａ電極Ａ１，…，Ａｍは、第１基板１００の方向に第２基板１０６上に一定したパターンで形成される。第２誘電体層１１０は、Ａ電極Ａ１，…，Ａｍを覆うように塗布される。第２誘電体層１１０上には、隔壁１１４がＡ電極Ａ１，…，Ａｍと平行な方向に形成される。この隔壁１１４は、各放電セルの放電領域を区画し、各放電セルの間の光学的干渉を防止する機能を行う。蛍光体層１１２は、隔壁１１４の間でＡ電極Ａ１，…，Ａｍ上の第２誘電体層１１０上に塗布され、順次に赤色発光蛍光体層、緑色発光蛍光体層、青色発光蛍光体層が配置される。
【００１９】
Ｘ電極Ｘ１，…，Ｘｎ及びＹ電極Ｙ１，…，Ｙｎは、Ａ電極Ａ１，…，Ａｍと直交するように第２基板１０６の方向に第１基板１００上に一定したパターンで形成される。各交差点は、相応する放電セルを設定する。各Ｘ電極Ｘ１，…，Ｘｎ及び各Ｙ電極Ｙ１，…，Ｙｎは、ＩＴＯ（Indium Tin Oxide）のような透明な導電性材質の透明電極Ｘｎａ，Ｙｎａと伝導度を増加させるための金属電極Ｘｎｂ，Ｙｎｂとが結合されて形成されうる。第１誘電体層１０２は、Ｘ電極Ｘ１，…，Ｘｎ及びＹ電極Ｙ１，…，Ｙｎを覆うように全面塗布されて形成される。強い電界からパネルを保護するための保護層１０４、例えばＭｇＯ層は、第１誘電体層１０２を覆うように全面塗布されて形成される。放電空間１０８には、プラズマ形成用のガスが密封される。
【００２０】
一方、本発明の駆動装置により駆動されるＰＤＰは、図１に示したものに限定されない。すなわち、図１に示したように、３電極構造のＰＤＰでない二つの電極のみが配置される２電極構造のＰＤＰであり、その他にも多様な構造のＰＤＰが可能であり、本発明の駆動装置により駆動されるものであればよい。
【００２１】
図２は、図１のＰＤＰの電極配置を簡略に示す図面である。
【００２２】
図２に示すように、Ｙ電極Ｙ１，…，Ｙｎ及びＸ電極Ｘ１，…，Ｘｎが平行に配置され、Ａ電極Ａ１，…，Ａｍは、Ｙ電極Ｙ１，…，Ｙｎ及びＸ電極Ｘ１，…，Ｘｎに交差するように配置され、交差される領域は、放電セルＣｅを区画する。
【００２３】
図３は、図１のＰＤＰを駆動するためのＰＤＰの駆動装置を簡略に示すブロック図である。
【００２４】
図３に示すように、ＰＤＰの駆動装置は、映像処理部３００、論理制御部３０２、Ｙ駆動部３０４、アドレス駆動部３０６、Ｘ駆動部３０８及びＰＤＰ １を備える。映像処理部３００は、外部からの外部映像信号を変換して内部映像信号に出力し、論理制御部３０２は、内部映像信号を入力されて、それぞれアドレス駆動制御信号ＳＡ、Ｙ駆動制御信号ＳＹ及びＸ駆動制御信号ＳＸを出力し、Ｙ駆動部３０４、アドレス駆動部３０６及びＸ駆動部３０８は、それぞれ駆動制御信号を入力されてＰＤＰ １のＹ電極、Ａ電極及びＸ電極にそれぞれ駆動信号を出力する。
【００２５】
図４は、図３の各駆動部から出力する駆動信号の一例を示すタイミング図である。
【００２６】
図４に示すように、ＰＤＰ（図３の１）を駆動するための単位フレームは、複数個のサブフィールドに分けられ、各サブフィールドＳＦは、リセット期間ＰＲ、アドレス期間ＰＡ及び維持期間ＰＳに分けられる。
【００２７】
まず、リセット期間ＰＲには、Ｙ電極Ｙ１，…，Ｙｎに上昇パルス及び下降パルスからなるリセットパルスが印加され、Ｘ電極Ｘ１，…，Ｘｎには、下降パルスの印加時から第２電圧Ｖｂが印加されてリセット放電が行われる。リセット放電により全体の放電セルを初期化する。上昇パルスは、第１電圧Ｖｓから第３電圧Ｖｓｅｔほど上昇して最終的に上昇最高電圧Ｖｓｅｔ＋Ｖｓに達し、下降パルスは、第１電圧Ｖｓから下降して最終的に第４電圧Ｖｎｆに達する。
【００２８】
アドレス期間ＰＡには、Ｙ電極Ｙ１，…，Ｙｎに走査パルスが順次に印加され、Ａ電極Ａ１，…，Ａｍには、前記走査パルスに合わせて表示データ信号が印加されてアドレス放電が行われる。アドレス放電により、維持期間ＰＳで発生する維持放電が行われる放電セルが選択される。走査パルスは、第５電圧Ｖｓｃｈを有していて順次に第５電圧Ｖｓｃｈより低い第６電圧Ｖｓｃｌを有し、表示データ信号は、走査パルスの第６電圧Ｖｓｃｌの印加時に合わせて正極性の第７電圧Ｖａを有する。
【００２９】
維持期間ＰＳでは、Ｘ電極Ｘ１，…，Ｘｎ及びＹ電極Ｙ１，…，Ｙｎに維持パルスが交互に印加されて維持放電が行われる。複数個のサブフィールドからなる単位フィールドの輝度は、各サブフィールドごとに割り当てられた階調加重値によって維持放電が行われて表現される。維持パルスは、第１電圧Ｖｓと接地電圧Ｖｇとを交互に有する。
【００３０】
一方、図３の各駆動部では、図４に示した駆動信号が出力されるが、図４に示したものに限定されない。
【００３１】
図５は、本発明のＰＤＰの駆動装置の一実施形態であって、Ｘ駆動部を示す回路図である。図７は、本発明の駆動装置でのスイッチング素子、駆動ＩＣ及び充電用のキャパシタの一実施形態を示す回路図である。図８は、本発明の駆動装置で第１グループのスイッチング素子の一実施形態を示す回路図である。図９は、本発明の駆動装置で第１グループのスイッチング素子の他の実施形態を示す回路図である。
【００３２】
図４、図５、図７ないし図９に示すように、本発明のＰＤＰの駆動装置は、Ｘ電極（Ｃｐの第１端）に駆動信号を出力するために、第１電圧Ｖｓを出力する第１電圧印加部５０１及び接地電圧Ｖｇを出力する接地電圧印加部５０３を備える維持パルス印加部５０と、第２電圧Ｖｂを出力する第２電圧印加部５０５と、パネル内に電荷を蓄積するか、またはパネル内の電荷を保存するエネルギー回収部５２と、スイッチング部５０７とを備える。
【００３３】
第１電圧印加部５０１は、一端が第１電圧源Ｖｓに接続され、他端がスイッチング部５０７に接続された第１スイッチング素子Ｓ１を備える。接地電圧印加部５０３は、一端が接地に接続され、他端がスイッチング部５０７に接続された第２スイッチング素子Ｓ２を備える。第１電圧印加部５０１及び接地電圧印加部５０３を備える維持パルス印加部５０は、維持パルスを発生させるために第１スイッチング素子Ｓ１及び第２スイッチング素子Ｓ２が交互にターンオンされる。
【００３４】
第２電圧印加部５０５は、一端が第２電圧源Ｖｂに接続され、他端がパネルのＸ電極（Ｃｐの第１端）及びスイッチング部５０７に接続される第３スイッチング素子Ｓ３を備える。第３スイッチング素子Ｓ３がターンオンされて、第２電圧ＶｂがパネルのＸ電極（Ｃｐの第１端）に出力される。
【００３５】
エネルギー回収部５２は、パネルＣｐ内の電荷を保存するエネルギー保存部５２０と、エネルギー保存部５２０に接続され、エネルギー保存部５２０に保存された電荷をパネルＣｐ内に蓄積するか、またはパネルＣｐ内の電荷をエネルギー保存部５２０に保存することを制御するエネルギー回収スイッチング部５２２と、一端がエネルギー回収スイッチング部５２２に接続され、他端がパネルのＸ電極（Ｃｐの第１端）に接続されたインダクタＬ１とを備える。
【００３６】
エネルギー保存部５２０は、パネル内の電荷を保存するようにキャパシタＣ２を備える。
【００３７】
エネルギー回収スイッチング部５２２は、一端がエネルギー保存部５２０に接続され、他端がインダクタＬ１に接続された第４スイッチング素子Ｓ４及び第５スイッチング素子Ｓ５を備え、第４スイッチング素子Ｓ４と第５スイッチング素子Ｓ５との間に、相異なる方向の第１及び第２ダイオードＤ１，Ｄ２が接続されうる。
【００３８】
エネルギー回収部５２の動作を説明すれば、エネルギー回収スイッチング部５２２のうち第５スイッチング素子Ｓ５がターンオンされれば、パネル内の電荷がインダクタＬ１、第２ダイオードＤ２、第５スイッチング素子Ｓ５を経て第２キャパシタＣ２に保存される。エネルギー回収スイッチング部５２２のうち第４スイッチング素子Ｓ４がターンオンされれば、第２キャパシタＣ２に保存された電荷が第４スイッチング素子Ｓ４、第１ダイオードＤ１、インダクタＬ１を経てパネルＣｐ内に蓄積される。
【００３９】
スイッチング部５０７は、一端が維持パルス印加部５０に接続され、他端が第２電圧印加部５０５及びパネルのＸ電極（Ｃｐの第１端）と接地との間に接続され、第６スイッチング素子Ｓ６を備える。スイッチング部５０７は、維持パルス印加部５０から出力される維持パルスをパネルのＸ電極に印加するためにスイッチング動作を行い、第２電圧印加部５０５から出力される第２電圧Ｖｂが維持パルス印加部５０に流れないようにスイッチング動作を行う。すなわち、第６スイッチング素子Ｓ６は、維持パルスをパネルのＸ電極（Ｃｐの第１端）に印加するためにターンオンされ、第２電圧Ｖｂが維持パルス印加部５０に流れないようにターンオフされる。
【００４０】
図７ないし図９に示すように、図５に示した各スイッチング素子に駆動ＩＣ ７０１が接続されているということが分かる。駆動ＩＣ ７０１は、スイッチング素子Ｓを駆動するように、制御信号Ｓｇをスイッチング素子Ｓのゲート端子に出力する。また、スイッチング素子Ｓの速いスイッチングのために、駆動ＩＣ ７０１のＶＣＣ端子とスイッチング素子Ｓのソース端子との間には、充電用のキャパシタＣＣが接続される。充電用のキャパシタＣＣには、ＰＤＰに初期電源が入力される場合に、外部から印加される動作電圧ＶＣＣが充電される。図５に示した各スイッチング素子に接続された充電用のキャパシタに動作電圧ＶＣＣが充電されるのは、図７ないし図９を参照して説明する。
【００４１】
図５に示した複数個のスイッチング素子Ｓ１〜Ｓ７をグループ化すれば、接地端にソース端子が接続される第１グループと、第１グループに属しない第２グループとに分けられる。すなわち、第１グループには、接地電圧印加部５０３の第２スイッチング素子Ｓ２及びエネルギー回収スイッチング部５２２の第５スイッチング素子Ｓ５が備えられる。一方、第１グループには、図示していないが、第６スイッチング素子のソース端子にドレイン端子が連結され、接地端にドレイン端子が連結される、すなわち第２スイッチング素子Ｓ２に並列に連結される別個のスイッチング素子がさらに備えられうる。第２グループには、第１電圧印加部５０１の第１スイッチング素子Ｓ１、第２電圧印加部５０５の第３スイッチング素子Ｓ３、エネルギー回収スイッチング部５２２の第４スイッチング素子Ｓ４及びスイッチング部５０７の第５スイッチング素子Ｓ５が備えられる。一方、ＰＤＰに初期電源がオンになる場合に、図５に示したスイッチング素子にそれぞれ接続された充電用のキャパシタＣＣには、外部から印加される動作電圧ＶＣＣが充電される。このとき、動作電圧ＶＣＣは、ＰＤＰの電源供給装置（図示せず）から供給され、その電圧の範囲は１０Ｖ〜１５Ｖでありうる。
【００４２】
第１グループのスイッチング素子Ｓ２，Ｓ５は、ソース端子に接地端が接続されているので、ソース端子の電圧は接地電圧となる。また、第１グループのスイッチング素子Ｓ２，Ｓ５のソース端子と駆動ＩＣ ７０１との間には、充電用のキャパシタＣＣが接続されているので、外部から印加される動作電圧ＶＣＣは、ソース端子に比べて充電用のキャパシタＣＣに安定的に充電される。
【００４３】
一方、第２グループのスイッチング素子Ｓ１，Ｓ３，Ｓ４，Ｓ６は、第１グループのスイッチング素子Ｓ２，Ｓ５と異なり、ソース端子に接地端が接続されていないので、ソース端子の電圧が一定でない。したがって、初期電源がオンになる場合に、外部から印加される動作電圧ＶＣＣがソース端子と駆動ＩＣ ７０１のＶＣＣ端子との間に接続された充電用のキャパシタＣＣに充電されない。一方、第２グループのスイッチング素子Ｓ１，Ｓ３，Ｓ４，Ｓ６をさらに細分化して、第１グループのスイッチング素子、例えば第２スイッチング素子Ｓ２のドレイン端子にソース端子が連結されたスイッチング素子とそうでないスイッチング素子とに区分して、第１スイッチング素子Ｓ１、第４スイッチング素子Ｓ４及び第６スイッチング素子Ｓ６を第２−１グループとし、その他の第３スイッチング素子Ｓ３を第２−２グループという。
【００４４】
第２−１グループのスイッチング素子Ｓ１，Ｓ４，Ｓ６のソース端子は、第２スイッチング素子Ｓ２のドレイン端子に連結されている。第２−１グループのスイッチング素子Ｓ１，Ｓ４，Ｓ６に接続された充電用のキャパシタＣＣに動作電圧ＶＣＣが充電されるために、第２−１グループのスイッチング素子Ｓ１，Ｓ４，Ｓ６のソース端子の電圧を接地電圧に人為的にする必要があり、このために、第１グループに属する所定のスイッチング素子がターンオンされることが望ましい。ここで、所定のスイッチング素子としては、図５に示した第２スイッチング素子Ｓ２であってもよく、第２スイッチング素子と並列に連結される前記別個のスイッチング素子（図示せず）であってもよい。このように第２スイッチング素子Ｓ２または前記別個のスイッチング素子がターンオンされれば、第２−１グループのスイッチング素子Ｓ１，Ｓ４，Ｓ６にそれぞれ接続された充電用のキャパシタＣＣには、動作電圧ＶＣＣが充電される。
【００４５】
しかし、第２スイッチング素子Ｓ２または前記別個のスイッチング素子が突然にターンオンされれば、サージ性の電流が流れ、これにより、駆動装置内のスイッチング素子及び回路素子が損傷されるおそれが発生する。それを防止するために、第２スイッチング素子Ｓ２または前記別個のスイッチング素子は、徐々にターンオンされねばならない。これを具現するためには、第２スイッチング素子Ｓ２または前記別個のスイッチング素子からランプ信号を出力させることが望ましい。
【００４６】
これについての一実施形態として、図８のように、第２スイッチング素子Ｓ２または前記別個のスイッチング素子のドレイン端子とゲート端子との間にランプ用のキャパシタＣＲを追加する。以下では、第２スイッチング素子または前記別個のスイッチング素子を、図８に示したようにスイッチング素子Ｓとして表現する。スイッチング素子Ｓが完全にターンオンされるためには、まず、スイッチング素子Ｓのゲート端子とソース端子との間の寄生キャパシタンスＣｇｓを充電させた後、ゲートとドレインとの間の寄生キャパシタンスＣｇｄを充電させればよい。このとき、Ｃｇｄに付加的にランプ用のキャパシタＣＲを追加させてＣｇｓが充電されれば、しきい電圧を超えたスイッチング素子Ｓが導通され始める時点から完全に導通されるまでの時間をある程度延ばすことができる。これにより、（１）の経路を通じてＣｇｓが充電されてスイッチング素子Ｓが少し開かれ、ゲート電流の方向が（２）の経路を通じて出力され、充電されているＣｇｓは放電され、かつスイッチング素子Ｓは閉じられる。このとき、（１）と（２）の経路は、互いにネガティブフィードバック効果を与えてスイッチング素子Ｓが定電流源として動作する。
【００４７】
スイッチング素子Ｓからランプ信号を出力させる他の実施形態として、第２スイッチング素子Ｓ２または前記別個のスイッチング素子のソース端子にランプ用の抵抗ＲＲを接続させる。以下では、第２スイッチング素子Ｓ２または前記別個のスイッチング素子を、図９に示したようにスイッチング素子Ｓとして表現する。前述したように、ゲート電流がＣｇｓを充電させてスイッチング素子Ｓが開かれれば、Ｉｄ電流が流れ始める。Ｉｄ電流は、Ｃｇｄを充電させつつ急激に上昇するが、抵抗Ｒ２でのＶｒの電圧降下を起こしつつＣｇｓに充電される電圧が小さくなる。このようにＣｇｓに充電される電圧が小さくなれば、スイッチング素子Ｓは再び閉じられ、かつＩｄ電流は小さくなる。Ｉｄ電流が小さくなれば、電圧降下Ｖｒも小さくなり、Ｃｇｓ電圧は上昇し、かつスイッチング素子Ｓは再び開かれる。
【００４８】
一方、第２−２グループのスイッチング素子である第３スイッチング素子Ｓ３に、ソース端子と駆動ＩＣ ７０１のＶＣＣ端子との間に接続された充電用のキャパシタＣＣに動作電圧ＶＣＣが充電されるためには、第１グループのスイッチング素子のうち所定のスイッチング素子と第２−１グループのスイッチング素子のうち所定のスイッチング素子とが、いずれもターンオンされることが必要である。ここで、第１グループのスイッチング素子のうち所定のスイッチング素子は、第２スイッチング素子Ｓ２であってもよく、前記別個のスイッチング素子であってもよい。また、第２−１グループのスイッチング素子のうち所定のスイッチング素子は、第６スイッチング素子Ｓ６でありうる。すなわち、第２スイッチング素子Ｓ２及び前記別個のスイッチング素子のうち少なくともいずれか一つと前記第６スイッチング素子とがターンオンされることが必要である。第２−１グループのスイッチング素子Ｓ１，Ｓ４，Ｓ６に接続された充電用のキャパシタＣＣに動作電圧ＶＣＣが充電される場合と同様に、第２スイッチング素子Ｓ２及び前記別個のスイッチング素子のうち少なくともいずれか一つと前記第６スイッチング素子とは、徐々にターンオンさせることが望ましい。すなわち、第２スイッチング素子Ｓ２、第６スイッチング素子Ｓ６または別個のスイッチング素子は、ランプ信号を出力せねばならない。このために、図８に示したように、ゲート端子とドレイン端子との間にランプ用のキャパシタＣＲが接続され、図９に示したように、ソース端子にランプ用の抵抗ＲＲが接続されることもある。
【００４９】
前記のような方法により、図５に示したあらゆるスイッチング素子Ｓ１〜Ｓ６に接続された充電用のキャパシタＣＣに動作電圧ＶＣＣが安定的に充電される。
【００５０】
図６は、本発明のＰＤＰの駆動装置の他の実施形態であって、Ｙ駆動部を示す回路図である。図７は、本発明の駆動装置でのスイッチング素子、駆動ＩＣ及び充電用のキャパシタの一実施形態を示す回路図である。図８は、本発明の駆動装置で第１グループのスイッチング素子の一実施形態を示す回路図である。図９は、本発明の駆動装置で第１グループのスイッチング素子の他の実施形態を示す回路図である。
【００５１】
図４、図６ないし図９に示すように、本発明のＰＤＰの駆動装置は、Ｙ電極（Ｃｐの第２端）に駆動信号を出力するために、第１電圧Ｖｓを第１ノードＮ１に出力する第１電圧印加部６０１及び接地電圧Ｖｇを第１ノードＮ１に出力する接地電圧印加部６０３を備える維持パルス印加部６０と、一端が第１ノードＮ１に接続され、他端が第２ノードＮ２に接続された第７スイッチング素子Ｓ１７を備える第１スイッチング部６０５と、一端が第２ノードＮ２に接続され、他端が第３ノードＮ３に接続された第１５スイッチング素子Ｓ１５を備える第２スイッチング部６１７と、第１ノードＮ１と第２ノードＮ２との間に接続され、第１電圧Ｖｓを第３電圧Ｖｓｅｔほど徐々に上昇させて第２ノードＮ２に出力する第３電圧印加部６０７と、第３ノードＮ３に接続され、第１電圧Ｖｓを第４電圧Ｖｎｆまで徐々に下降させて第３ノードＮ３に出力する第４電圧印加部６０９と、互いに直列接続された第１走査スイッチング素子ＳＣ１及び第２走査スイッチング素子ＳＣ２を備え、第１走査スイッチング素子ＳＣ１と第２走査スイッチング素子ＳＣ２との間である第４ノードＮ４がパネルのＹ電極（Ｃｐの第２端）に接続された走査スイッチング部６１１と、第５電圧源Ｖｓｃｈを備え、第１走査スイッチング素子ＳＣ１に接続されて第１走査スイッチング素子ＳＣ１に第５電圧Ｖｓｃｈを出力する第５電圧印加部６１３と、第３ノードＮ３及び第２走査スイッチング素子ＳＣ２に接続されて第６電圧Ｖｓｃｌを出力する第６電圧印加部６１５と、パネルＣｐ内に電荷を蓄積するか、またはパネルＣｐ内の電荷を保存するエネルギー回収部６２と、を備える。
【００５２】
第１電圧印加部６０１は、一端が第１電圧源Ｖｓに接続され、他端が第１ノードＮ１に接続された第８スイッチング素子Ｓ８を備える。接地電圧印加部６０３は、一端が接地に接続され、他端が第１ノードＮ１に接続された第９スイッチング素子Ｓ９を備える。第１電圧印加部６０１と接地電圧印加部６０３とを備える維持パルス印加部６０は、維持パルスを発生させるために第８スイッチング素子Ｓ８と第９スイッチング素子Ｓ９とが交互にターンオンされる。
【００５３】
第３電圧印加部６０７は、一端が第１ノードＮ１に接続され、他端が第３電圧源Ｖｓｅｔに接続された第４キャパシタＣ４、及び第３電圧源Ｖｓｅｔと第２ノードＮ３との間に接続された第１０スイッチング素子Ｓ１０を備える。第１スイッチング部６０５の第７スイッチング素子Ｓ７がターンオフされ、第２スイッチング部６１７の第１５スイッチング素子がターンオンされ、第１電圧印加部６０１の第８スイッチング素子Ｓ８及び第３電圧印加部６０７の第１０スイッチング素子Ｓ１０がターンオンされて、第１電圧Ｖｓから第３電圧Ｖｓｅｔほど徐々に上昇して最終的に上昇最高電圧Ｖｓｅｔ＋Ｖｓが第３ノードＮ３に出力される。
【００５４】
第４電圧印加部６０９は、一端が第３ノードＮ３に接続され、他端が第４電圧源Ｖｎｆに接続された第１１スイッチング素子Ｓ１１を備える。第１電圧印加部６０１の第８スイッチング素子Ｓ８、第１スイッチング部６０５の第７スイッチング素子Ｓ７、第２スイッチング部６１７の第１５スイッチング素子Ｓ１５及び第４電圧印加部６０９の第１１スイッチング素子Ｓ１１がターンオンされて、第１電圧Ｖｓから第４電圧Ｖｎｆまで徐々に下降した電圧が第３ノードＮ３に出力される。
【００５５】
第６電圧印加部６１５は、第３ノードＮ３と第６電圧源Ｖｓｃｌとの間に接続された第１２スイッチング素子Ｓ１２を備える。第１２スイッチング素子Ｓ１２がターンオンされて、第３ノードＮ３に第６電圧Ｖｓｃｌを出力する。
【００５６】
走査スイッチング部６１１の第１走査スイッチング素子ＳＣ１がターンオンされ、第２走査スイッチング素子ＳＣ２がターンオフされれば、第５電圧Ｖｓｃｈが第４ノードＮ４を経てＹ電極（Ｃｐの第２端）に出力される。一方、走査スイッチング部６１１の第１走査スイッチング素子ＳＣ１がターンオフされ、第２走査スイッチング素子ＳＣ２がターンオンされれば、第３ノードＮ３に出力された各電圧、すなわち第１電圧Ｖｓ、接地電圧Ｖｇ、上昇最高電圧Ｖｓ＋Ｖｓｅｔ、第４電圧Ｖｎｆ、第６電圧Ｖｓｃｌが第４ノードＮ４を経てＹ電極（Ｃｐの第２端）に出力される。
【００５７】
エネルギー回収部６２は、パネルＣｐ内の電荷を保存するエネルギー保存部６２０と、エネルギー保存部６２０に接続され、エネルギー保存部６２０に保存された電荷をパネルＣｐ内に蓄積するか、またはパネルＣｐ内の電荷をエネルギー保存部６２０に保存することを制御するエネルギー回収スイッチング部６２２と、一端がエネルギー回収スイッチング部６２２に接続され、他端が第１ノードＮ１に接続されたインダクタＬ２と、を備える。
【００５８】
エネルギー保存部６２０は、パネル内の電荷を保存するようにキャパシタＣ５を備える。
【００５９】
エネルギー回収スイッチング部６２２は、一端がエネルギー保存部６２０に接続され、他端がインダクタＬ２に接続された第１３スイッチング素子Ｓ１３と第１４スイッチング素子Ｓ１４とを備え、第１３スイッチング素子Ｓ１３と第１４スイッチング素子Ｓ１４との間に方向が異なる二つの第３及び第４ダイオードＤ３，Ｄ４が接続されうる。
【００６０】
エネルギー回収部６２の動作を説明するために、第１スイッチング部６０５の第７スイッチング素子Ｓ７と、走査スイッチング部６１１の第２走査スイッチング素子ＳＣ２とがターンオンされた状態と仮定する。エネルギー回収スイッチング部６２２のうち第１４スイッチング素子Ｓ１４がターンオンされれば、パネルＣｐ内の電荷がインダクタＬ２、第４ダイオードＤ４、第１４スイッチング素子Ｓ１４を経て第５キャパシタＣ５に保存される。エネルギー回収スイッチング部６２２のうち第１３スイッチング素子Ｓ１３がターンオンされれば、第５キャパシタＣ５に保存された電荷が第１３スイッチング素子Ｓ１３、第３ダイオードＤ３、インダクタＬ２を経てパネルＣｐ内に蓄積される。
【００６１】
図６に示したスイッチング素子それぞれには、図７ないし図９に示した駆動ＩＣ ７０１が接続される。駆動ＩＣ ７０１は、スイッチング素子を駆動するように、制御信号Ｓｇをスイッチング素子Ｓのゲート端子に出力する。また、スイッチング素子Ｓの速いスイッチングのために、駆動ＩＣ ７０１のＶＣＣ端子及びスイッチング素子Ｓのソース端子には、充電用のキャパシタＣＣが接続される。ＰＤＰに初期電源がオンになる場合に、充電用のキャパシタＣＣには、外部から印加される動作電圧ＶＣＣが充電される。
【００６２】
図６に示した各スイッチング素子に接続された充電用のキャパシタＣＣに動作電圧ＶＣＣが充電されるのは、図７ないし図９を参照して説明する。
【００６３】
図６に示した複数個のスイッチング素子Ｓ８〜Ｓ１５をグループ化すれば、接地電圧以下の電圧を出力する電圧源にソース端子が接続される第１グループと、第１グループに属しない第２グループとに分けられる。図４に示した駆動信号を参照すれば、第４電圧源Ｖｎｆ及び第６電圧源Ｖｓｃｌは、接地電圧Ｖｇより低い電圧を出力するので、第１グループには、接地電圧印加部６０３の第９スイッチング素子Ｓ９、第４電圧印加部６０９の第１１スイッチング素子Ｓ１１、第６電圧印加部６１５の第１２スイッチング素子Ｓ１２及びエネルギー回収スイッチング部６２２の第１４スイッチング素子Ｓ１４が備えられる。また、図示していないが、第１グループには、第１ノードにドレイン端子が連結され、接地端にソース端子が連結される、すなわち第９スイッチング素子と並列に連結される別個のスイッチング素子がさらに備えられうる。一方、第２グループには、第１電圧印加部６０１の第８スイッチング素子Ｓ８、第１スイッチング部６０５の第７スイッチング素子Ｓ７、第２スイッチング部６１７の第１５スイッチング素子Ｓ１５、第３電圧印加部６１７の第１０スイッチング素子Ｓ１０、走査スイッチング部６１１の第１走査スイッチング素子ＳＣ１、第２走査スイッチング素子ＳＣ２及びエネルギー回収スイッチング部６２２の第１３スイッチング素子Ｓ１３が備えられる。
【００６４】
一方、ＰＤＰに初期電源がオンになる場合に、図６に示したスイッチング素子にそれぞれ接続された充電用のキャパシタＣＣには、外部から印加される動作電圧ＶＣＣが充電される。このとき、動作電圧ＶＣＣは、ＰＤＰの電源供給装置から供給され、その電圧の範囲は１０Ｖ〜１５Ｖでありうる。
【００６５】
第１グループのスイッチング素子Ｓ９，Ｓ１１，Ｓ１２，Ｓ１４は、それぞれソース端子に接地端または接地電圧未満の電圧を出力する電圧源が接続されているので、ソース端子の電圧は、接地電圧または接地電圧以下の電圧となる。第１グループのスイッチング素子Ｓ９，Ｓ１１，Ｓ１２，Ｓ１４それぞれのソース端子と駆動ＩＣ ７０１のＶＣＣ端子との間には、充電用のキャパシタＣＣが接続されているので、外部から印加される動作電圧ＶＣＣは、ソース端子に比べて充電用のキャパシタＣＣに安定的に充電される。
【００６６】
一方、第２グループのスイッチング素子Ｓ７，Ｓ８，Ｓ１０，Ｓ１３，Ｓ１５，ＳＣ１，ＳＣ２は、第１グループのスイッチング素子Ｓ９，Ｓ１１，Ｓ１２，Ｓ１４と異なり、ソース端子に接地端または接地電圧未満の電圧を出力する電圧源が接続されていないので、ソース端子の電圧が一定でない。したがって、初期電源がオンになる場合に、外部から印加される動作電圧ＶＣＣがソース端子と駆動ＩＣ ７０１のＶＣＣ端子との間に接続された充電用のキャパシタＣＣに充電されない。一方、第２グループのスイッチング素子Ｓ７，Ｓ８，Ｓ１０，Ｓ１３，Ｓ１５，ＳＣ１，ＳＣ２をさらに細分化して、第１グループのスイッチング素子のうちいずれか一つである所定のスイッチング素子Ｓ９，Ｓ１１，Ｓ１２，Ｓ１４のドレイン端子にソース端子が連結されたスイッチング素子Ｓ７，Ｓ８，Ｓ１３，Ｓ１５，ＳＣ２を第２−１グループとし、第２−１グループに属するスイッチング素子のドレイン端子にソース端子が連結されたスイッチング素子Ｓ１０，ＳＣ１を第２−２グループという。図面での第２−１グループのスイッチング素子としては、第１電圧印加部６０１の第８スイッチング素子Ｓ８、第１スイッチング部６０５の第７スイッチング素子Ｓ７、第２スイッチング部６１７の第１５スイッチング素子Ｓ１５、走査スイッチング部６１１の第２走査スイッチング素子ＳＣ２及びエネルギー回収スイッチング部６２２の第１３スイッチング素子Ｓ１３がある。第２−２グループのスイッチング素子としては、第３電圧印加部６０７の第１０スイッチング素子Ｓ１０、及び走査スイッチング部６１１の第１走査スイッチング部ＳＣ１がある。
【００６７】
第２−１グループのスイッチング素子Ｓ７，Ｓ８，Ｓ１０，Ｓ１３，Ｓ１５，ＳＣ１，ＳＣ２のソース端子は、それぞれ第１グループのスイッチング素子のうち所定のスイッチング素子のドレイン端子に接続されている。ここで、所定のスイッチング素子は、第９スイッチング素子Ｓ９、第１１スイッチング素子Ｓ１１、第１２スイッチング素子Ｓ１２、第１４スイッチング素子Ｓ１４、または第９スイッチング素子と並列に連結される前記別個のスイッチング素子（図示せず）でありうる。第２−１グループのスイッチング素子Ｓ７，Ｓ８，Ｓ１０，Ｓ１３，Ｓ１５，ＳＣ１，ＳＣ２に接続された充電用のキャパシタＣＣに動作電圧ＶＣＣが充電されるために、第２−１グループのスイッチング素子Ｓ７，Ｓ８，Ｓ１０，Ｓ１３，Ｓ１５，ＳＣ１，ＳＣ２のソース端子の電圧を接地電圧以下に人為的にする必要があり、このために、前記所定のスイッチング素子である第９、第１１、第１２、第１４スイッチング素子Ｓ９，Ｓ１１，Ｓ１２，Ｓ１４及び前記別個のスイッチング素子のうちいずれか一つをターンオンさせる。例えば、第９スイッチング素子Ｓ９または前記別個のスイッチング素子がターンオンされれば、第７、第８、第１３スイッチング素子Ｓ７，Ｓ８，Ｓ１３にそれぞれ接続された充電用のキャパシタＣＣに動作電圧ＶＣＣが充電され、第１１スイッチング素子Ｓ１１がターンオンされれば、第１５スイッチング素子Ｓ１５または第２走査スイッチング素子ＳＣ２に接続された充電用のキャパシタＣＣに動作電圧ＶＣＣが充電され、第１２スイッチング素子Ｓ１２がターンオンされれば、第１５スイッチング素子Ｓ１５または第２走査スイッチング素子ＳＣ２に接続された充電用のキャパシタＣＣに動作電圧ＶＣＣが充電されうる。
【００６８】
しかし、前記の所定のスイッチング素子Ｓ９，Ｓ１１，Ｓ１２，Ｓ１４または前記別個のスイッチング素子が突然にターンオンされれば、サージ性の電流が流れ、これにより、スイッチング素子を備えた回路素子が損傷されるおそれが発生する。それを防止するために、所定のスイッチング素子Ｓ９，Ｓ１１，Ｓ１２，Ｓ１４または前記別個のスイッチング素子は、徐々にターンオンされねばならない。これを具現するためには、所定のスイッチング素子Ｓ９，Ｓ１１，Ｓ１２，Ｓ１４または前記別個のスイッチング素子からランプ信号を出力させることが望ましい。
【００６９】
これについての一実施形態として、所定のスイッチング素子Ｓ９，Ｓ１１，Ｓ１２，Ｓ１４または前記別個のスイッチング素子のドレイン端子とゲート端子との間にランプ用のキャパシタを追加する。以下では、図８に示したように、所定のスイッチング素子Ｓ９，Ｓ１１，Ｓ１２，Ｓ１４または前記別個のスイッチング素子をスイッチング素子Ｓとして表現する。スイッチング素子Ｓが完全にターンオンされるためには、まず、スイッチング素子Ｓのゲート端子とソース端子との間の寄生キャパシタンスＣｇｓを充電させた後、ゲートとドレインとの間の寄生キャパシタンスＣｇｄを充電させればよい。このとき、Ｃｇｄに付加的にランプ用のキャパシタＣＲを追加させてＣｇｓが充電されれば、しきい電圧を超えたスイッチング素子Ｓが導通され始める時点から完全に導通されるまでの時間をある程度延ばすことができる。これにより、(１)の経路を通じてＣｇｓが充電されてスイッチング素子Ｓが少し開かれ、ゲート電流の方向が（２）の経路を通じて出力され、充電されているＣｇｓは放電され、かつスイッチング素子Ｓは閉じられる。このとき、（１）と（２）の経路は、互いにネガティブフィードバック効果を与えてスイッチング素子Ｓが定電流源として動作する。
【００７０】
スイッチング素子Ｓからランプパルスを出力させる他の実施形態として、所定のスイッチング素子Ｓ９，Ｓ１１，Ｓ１２，Ｓ１４または前記別個のスイッチング素子のソース端子にランプ用の抵抗ＲＲを接続させる。以下では、図９に示したように、所定のスイッチング素子Ｓ９，Ｓ１１，Ｓ１２，Ｓ１４または前記別個のスイッチング素子をスイッチング素子Ｓとして表現する。前述したように、ゲート電流がＣｇｓを充電させてスイッチング素子Ｓが開かれれば、Ｉｄ電流が流れ始める。Ｉｄ電流は、Ｃｇｄを充電させつつ急激に上昇するが、抵抗Ｒ２でのＶｒの電圧降下を起こしつつＣｇｓに充電される電圧が小さくなる。このようにＣｇｓ電圧が小さくなれば、スイッチング素子Ｓは再び閉じられ、かつＩｄ電流は小さくなる。Ｉｄ電流が小さくなれば、電圧降下Ｖｒも小さくなり、Ｃｇｓ電圧は上昇し、かつスイッチング素子Ｓは再び開かれる。
【００７１】
一方、第２−２グループのスイッチング素子ＳＣ１，Ｓ１０のソース端子と駆動ＩＣのＶＣＣ端子との間に接続された充電用のキャパシタＣＣに動作電圧ＶＣＣが充電されるためには、第１グループの所定のスイッチング素子及び前記所定のスイッチング素子と接続されたスイッチング素子が、いずれもターンオンされることが必要である。例えば、第１０スイッチング素子Ｓ１０に接続された充電用のキャパシタＣＣに動作電圧を充電するためには、第１グループのスイッチング素子である第９スイッチング素子Ｓ９または前記別個のスイッチング素子がターンオンされ、第９スイッチング素子Ｓ９または前記別個のスイッチング素子に接続する第７スイッチング素子Ｓ７もターンオンされて、第１０スイッチング素子Ｓ１０のソース端子の電圧を接地電圧にする。また、第１走査スイッチング素子ＳＣ１に接続された充電用のキャパシタＣＣに動作電圧ＶＣＣを充電するためには、第１グループのスイッチング素子である第１１スイッチング素子Ｓ１１または第１２スイッチング素子Ｓ１２がターンオンされ、第１１スイッチング素子Ｓ１１及び第１２スイッチング素子Ｓ１２に接続された第２走査スイッチング素子ＳＣ２がターンオンされて、第１走査スイッチング素子ＳＣ１のソース端子の電圧を接地電圧以下にする。
【００７２】
第２−１グループのスイッチング素子に接続された充電用のキャパシタＣＣに動作電圧ＶＣＣが充電される場合と同様に、第１グループのスイッチング素子のうち所定のスイッチング素子及び第２−１グループのスイッチング素子のうち少なくとも一つは、徐々にターンオンされねばならない。すなわち、ランプ信号を出力せねばならない。このために、図８に示したように、スイッチング素子Ｓのゲート端子とドレイン端子との間にランプ用のキャパシタＣＲが接続され、スイッチング素子Ｓのソース端子にランプ用の抵抗ＲＲが接続されることもある。
【００７３】
したがって、図６に示したあらゆるスイッチング素子Ｓ７〜Ｓ１５に接続された充電用のキャパシタＣＣに動作電圧ＶＣＣが安定的に充電される。
【００７４】
本発明は、図面に示した実施形態を参考にして説明されたが、これは、例示的なものに過ぎず、当業者であれば、これから多様な変形及び均等な他の実施形態が可能であるという点を理解できるであろう。したがって、本発明の真の技術的保護範囲は、特許請求の範囲の技術的思想により決まらねばならない。
【産業上の利用可能性】
【００７５】
本発明は、プラズマディスプレイパネルの駆動装置関連の技術分野に適用可能である。
【図面の簡単な説明】
【００７６】
【図１】本発明の駆動装置により駆動されるＰＤＰの構造の一例を示す図面である。
【図２】図１のＰＤＰの電極配置を簡略に示す図面である。
【図３】図１のＰＤＰを駆動するためのＰＤＰの駆動装置を簡略に示すブロック図である。
【図４】図３の各駆動部から出力する駆動信号の一例を示すタイミング図である。
【図５】本発明のＰＤＰの駆動装置の一実施形態であって、Ｘ駆動部を示す回路図である。
【図６】本発明のＰＤＰの駆動装置の他の実施形態であって、Ｙ駆動部を示す回路図である。
【図７】本発明の駆動装置でのスイッチング素子、駆動ＩＣ及び充電用のキャパシタの一実施形態を示す回路図である。
【図８】本発明の駆動装置で第１グループのスイッチング素子の一実施形態を示す回路図である。
【図９】本発明の駆動装置で第１グループのスイッチング素子の他の実施形態を示す回路図である。
【符号の説明】
【００７７】
１      ＰＤＰ
３００  映像処理部
３０２  論理制御部
３０４  Ｙ駆動部
３０６  アドレス駆動部
３０８  Ｘ駆動部
【図１】
2006243713.tif 000003
【図２】
2006243713.tif 000004
【図３】
2006243713.tif 000005
【図４】
2006243713.tif 000006
【図５】
2006243713.tif 000007
【図６】
2006243713.tif 000008
【図７】
2006243713.tif 000009
【図８】
2006243713.tif 000010
【図９】
2006243713.tif 000011